(57)【要約】【課題】両側板の後端部間に背板を連結した基本構造を有し、両側板と背板とで形成された前方開放の内部空間内に、本立てや棚板等の収納体を着脱自在且つ上下左右の取付位置を変更可能となした机上棚において、内部空間内での収納体の取付位置に対する自由度を高くしたにも係わらず、両側板の連結強度が高い机上棚の補強装置を提供する。【解決手段】両側板３と背板４とで形成された前方開放の内部空間内に、両側板を連結する部材を一切設けず、本立て５や棚板等の収納体を着脱可能且つ上下左右の取付位置を変更可能となした、学習机の天板後部に載置する机上棚において、両側板の後部間に背板を連結するとともに、両側板の後端より背板の背面位置を若干前方寄りに位置設定し、少なくとも両側板の後方突出部３Ａの内側面間に補強部材４０Ａを連結する。【選択図】        図６
2007000604.tif 000002
【特許請求の範囲】
【請求項１】
両側板と背板とで形成された前方開放の内部空間内に、両側板を連結する部材を一切設けず、本立てや棚板等の収納体を着脱可能且つ上下左右の取付位置を変更可能となした、学習机の天板後部に載置する机上棚において、前記両側板の後部間に前記背板を連結するとともに、両側板の後端より背板の背面位置を若干前方寄りに位置設定し、少なくとも前記両側板の後方突出部の内側面間に補強部材を連結したことを特徴とする机上棚の補強装置。
【請求項２】
前記背板の背面下端で両側板の後方突出部の下端間に補強部材を渡設するとともに、該補強部材を背板に固定してなる請求項１記載の机上棚の補強装置。
【請求項３】
前記背板の背面に立起状態で照明装置の支柱を取付け、該支柱と交差する前記補強部材の一部に退避部を形成してなる請求項１記載の机上棚の補強装置。
【請求項４】
前記背板の下端又は上端、若しくは上下端に板状の補強部材を接合状態で両側板間に連結してなる請求項１〜３何れかに記載の机上棚の補強装置。
【請求項５】
前記背板の背面側に横方向に延びた板厚が厚い補強部分を形成し、あるいは上下分離した複数の背板部材からなる背板の少なくとも一つの背板部材の板厚を厚くして補強背板部材とし、前記補強部分又は補強背板部材を両側板に連結してなる請求項１〜３何れかに記載の机上棚の補強装置。
【発明の詳細な説明】
【技術分野】
【０００１】
本発明は、机上棚の補強装置に係わり、更に詳しくは学習机の天板後部に載置して使用し、本立てや棚板等の収納体を組み替え可能な机上棚の補強装置に関するものである。
【背景技術】
【０００２】
従来から、本立てや棚板を組み替え可能な学習机の机上棚は提供されている。例えば、特許文献１には、両側板と背板とで形成された内部空間内に本立てと棚板を着脱自在に装着し、学習机の天板後部に載置する机上棚であって、前記両側板の中央に仕切板を固定し、内部空間内に面した両側板の内面側と前記仕切板の両面側で下段にそれぞれ支持具を着脱自在に取付可能となすとともに、前記本立てと棚板は横幅が略同一であり且つ同一の前記支持具によって支持可能であり、前記本立ての両側部を一方の前記側板とそれに対面する前記仕切板の下段に取付けた支持具で着脱自在に支持し、前記棚板の両側部を他方の前記側板とそれに対面する前記仕切板の下段に取付けた支持具で着脱自在に支持し、前記本立てと棚板とを左右組み替え可能としてなる学習机の机上棚が開示されている。
【０００３】
また、特許文献２には、左右の主側板と棚板と背板とが備えられた棚装置を机天板上に着脱可能に取付けした机において、前記棚装置における背板の前面に配置する複数の分離本立てを、少なくとも前記背板に対して係合手段を介してそれぞれ着脱可能に連結し、分離本立ての側板間もしくは分離本立ての側板と前記主側板の内面との間に中間棚板を着脱可能に装着した棚装置を備えた机が開示されている。
【０００４】
これらの公報記載のものは、本立てと棚板（中間棚板）の取付位置を横方向で変更可能であり、また棚板（中間棚板）の取付高さを変更可能ではあるが、本立ての取付高さを変更できるものではなかった。そして、特許文献１記載のものは、両側板間の背板中央部に仕切板を固定し、該仕切板の左右で本立てや棚板を付け替え可能としたものであるが、両側板は背板で連結されているだけで、学習机の天板に載置し、両側板を該天板に固定するまでは強度的に不安がある。また、特許文献２記載のものは、背板の前面側で両側板間の下部に奥行幅の狭い下棚板を連結して強度を高めているが、この下棚板の存在は、本立てや棚板を付け替える位置に対する自由度に制限を与え、更に両側板間の内部空間にパソコンの本体やモニターを収容する場合の奥行位置に対する制限を与えるのである。
【特許文献１】特許第３５７７９５５号公報
【特許文献２】特開２００５−０５２２９６号公報
【発明の開示】
【発明が解決しようとする課題】
【０００５】
そこで、本発明が前述の状況に鑑み、解決しようとするところは、両側板の後端部間に背板を連結した基本構造を有し、両側板と背板とで形成された前方開放の内部空間内に、本立てや棚板等の収納体を着脱可能且つ上下左右の取付位置を変更可能となした机上棚において、内部空間内での収納体の取付位置に対する自由度を高くしたにも係わらず、両側板の連結強度が高い机上棚の補強装置を提供する点にある。
【課題を解決するための手段】
【０００６】
本発明は、前述の課題解決のために、両側板と背板とで形成された前方開放の内部空間内に、両側板を連結する部材を一切設けず、本立てや棚板等の収納体を着脱可能且つ上下左右の取付位置を変更可能となした、学習机の天板後部に載置する机上棚において、前記両側板の後部間に前記背板を連結するとともに、両側板の後端より背板の背面位置を若干前方寄りに位置設定し、少なくとも前記両側板の後方突出部の内側面間に補強部材を連結してなる机上棚の補強装置を構成した（請求項１）。
【０００７】
ここで、前記背板の背面下端で両側板の後方突出部の下端間に補強部材を渡設するとともに、該補強部材を背板に固定してなることが好ましい（請求項２）。
【０００８】
また、前記背板の背面に立起状態で照明装置の支柱を取付け、該支柱と交差する前記補強部材の一部に退避部を形成してなることも好ましい（請求項３）。
【０００９】
更に、前記背板の下端又は上端、若しくは上下端に板状の補強部材を接合状態で両側板間に連結してなることも好ましい（請求項４）。
【００１０】
そして、前記背板の背面側に横方向に延びた板厚が厚い補強部分を形成し、あるいは上下分離した複数の背板部材からなる背板の少なくとも一つの背板部材の板厚を厚くして補強背板部材とし、前記補強部分又は補強背板部材を両側板に連結してなることも好ましい（請求項５）。
【発明の効果】
【００１１】
以上にしてなる請求項１に係る発明の机上棚の補強装置は、両側板の後部間に背板を連結するとともに、両側板の後端より背板の背面位置を若干前方寄りに位置設定し、少なくとも前記両側板の後方突出部の内側面間に補強部材を連結したので、両側板の連結強度が高くなり、しかも両側板と背板とで形成された前方開放の内部空間内に、両側板を連結する部材を一切設けていないので、内部空間内で本立てや棚板等の収納体を着脱可能且つ上下左右の取付位置を変更可能とすることができ、もって内部空間内での収納体の取付位置に対する自由度を高くすることができ、また内部空間にパソコンの本体やモニターを収容する場合の奥行幅を広く利用することができるのである。
【００１２】
請求項２によれば、背板の背面下端で両側板の後方突出部の下端間に補強部材を渡設するとともに、該補強部材を背板に固定してなるので、補強部材が邪魔になることはなく、背板の背面に立起状態で照明装置の支柱を取付けても該支柱と干渉することがないのである。
【００１３】
請求項３によれば、背板の背面に立起状態で照明装置の支柱を取付けた場合でも、該支柱と交差する補強部材の一部に退避部を形成したので、該補強部材を任意の高さ位置に設けることができる。
【００１４】
請求項４によれば、背板の下端又は上端、若しくは上下端に板状の補強部材を接合状態で両側板間に連結する場合には、奥行方向における補強部材と側板との接合距離を長く取ることができるので、連結強度が更に高くなる。
【００１５】
請求項５によれば、一部板厚が厚い部分を有する背板を用いることにより、また上下分離した複数の背板部材からなる背板の少なくとも一つの背板部材の板厚を厚くして補強背板部材とることにより、何ら部材を追加することなく両側板の連結強度を高めることができる。
【発明を実施するための最良の形態】
【００１６】
次に、添付図面に示した実施形態に基づき、本発明を更に詳細に説明する。図１及び図２は本実施形態に係る学習机の机上棚を示し、図３〜図６は本立てや棚板等の収納体を着脱自在且つ上下左右の取付位置を変更可能に装着するための構造を示し、更に図５〜図１４は本発明に係る机上棚の補強装置の詳細を示している。また、図４〜図６及び図１４〜図１８は机上棚の第１例、図１９〜図２３は机上棚の第２例をそれぞれ示し、図中符号１は机上棚、２は学習机、３は側板、４は背板、５は本立て（収納体）、６は棚板（収納体）をそれぞれ示している。
【００１７】
第１例に係る机上棚１は、学習机２の天板後部に載置して使用するものであり、両側板３，３と背板４とで形成された内部空間内に本立て５と棚板６を着脱自在に装着するとともに、該本立て５と棚板６の装着位置を変更可能、特に取付高さを変更となしたものである。本発明において、収納体とは本立て５や棚板６等の書籍や物品の収納機能を有するものを指し、広義の意味で用いている。
【００１８】
更に詳しくは、前記机上棚１は、両側板３，３とその後端間に背板４を有する構造であればどのようなものでも良く、本実施形態のように下部棚１Ａと上部棚１Ｂとに分離し、下部棚１Ａの上部に上部棚１Ｂを載置して連結して使用できるとともに、上部棚１Ｂを取り去って下部棚１Ａのみで使用することもできる構造である。本実施形態では、下部棚１Ａのみを対象としているが、特に限定されるものではない。また、本実施形態において、前記本立て５は、図３、図４、図６〜図１６に示すように、両側面板７，７の下部に載置板８を連結するとともに、後部に背面板９を連結し、更に載置板８の下方で両側面板７，７間に引出し１０を設け、更に載置板８の上位中間部に仕切板１１を立設した構造のものを例示したが、本発明においては前記棚板６を連結可能な側面板７に相当する部分を有していれば、引出し１０のみのもの、あるいは載置板８に仕切板１１のみが立設された構造のものでも構わない。
【００１９】
そして、第１例では、図３に示すように、前記机上棚１の前記背板４に、前記本立て５の背面に設けた係止手段１２を着脱可能に係止する孔又はレールからなる第１支持手段１３，…を一定間隔毎（ピッチＨ）に多段に設け、前記側板３の内面に、前記棚板６の端縁を着脱可能に支持する支持具１４を装着する第２支持手段１５，…を一定間隔毎（ピッチＨ）に多段に設けるとともに、前記本立て５の両側面板７，７の外面に、前記棚板６の端縁を着脱可能に支持する支持具１４を装着する第３支持手段１６，…を一定間隔毎（ピッチＨ）に多段に設け、前記第１支持手段１３、第２支持手段１５及び第３支持手段１６を設ける上下ピッチを全て一致させている。
【００２０】
具体的には、前記第１支持手段１３は、横長のスリット孔（以下、符号１３で表す。）であり、同一の高さ位置に複数のスリット孔１３，…を列設し、前記本立て５の前記係止手段１２が前記スリット孔１３に係止するフック（以下、符号１２で表す。）であり、本立て５の取付位置を左右方向で変更可能としている。第１実施形態において、前記スリット孔１３は、図４及び図５に示すように、中央部に長いスリット孔１３Ａを形成するとともに、その両側に短いスリット孔１３Ｂ，１３Ｂを形成し、同一高さに三つのスリット孔１３，…を形成している。そして、前記長いスリット孔１３Ａは、短いスリット孔１３Ｂの略２倍の長さを有し、短いスリット孔１３Ｂには、図４及び図２４に示すように、幅の狭い本立て５の前記フック１２を係止している。机上棚１の側板３に本立て５の一方の側面板７が当接する状態で装着でき、また中央部の長いスリット孔１３Ａには、図２５に示すように、一側に寄せて幅の狭い本立て５の前記フック１２を係止すれば、その外側に装着した同様の本立て５と密着状態で装着することが可能である。ここで、前記フック１２の横幅は、前記スリット孔１３Ｂの横幅より若干狭く、しかもフック１２をスリット孔１３Ｂに係止した状態で、本立て５の側方に棚板６や他の本立て５が存在しない場合でも、横方向に大きく移動しないように設定されている。尚、前記フック１２は左右に分割されたものでも良いが、全体としてフック１２の両端外寸法がスリット孔１３Ｂの横幅に略一致されていれば良い。
【００２１】
また、図３に示すように、前記第２支持手段１５及び第３支持手段１６は、同一高さ位置に並設した一対の支持孔（以下、それぞれ符号１５、１６で表す。）であり、前記支持具１４は線ダボ（以下、符号１４で表す。）であり、両支持孔１５，１５又は支持孔１６，１６に線ダボ１４の両端支軸１４Ａ，１４Ａを着脱可能に嵌入するとともに、前記棚板６の端面に形成した後向き開放の係合溝１７に線ダボ１４の本体部１４Ｂを係合することにより、当該棚板６の両端部を支持するのである。尚、本発明では、前記線ダボ１４の代わりにピンダボでも良く、更に前記第２支持手段１５及び第３支持手段１６と前記支持具１４としてはその他の構造のものを採用しても良い。
【００２２】
第１例では、前記机上棚１の両側板３，３の間隔と、幅の狭い二つの前記本立て５，５の横幅と前記棚板６の横幅の和とを略一致させている。従って、机上棚１の収納空間内での左右方向の配置に対しては、両側に本立て５，５をそれぞれ側板３に密着するように装着するとともに、両本立て５，５の対向する両側面板７，７間に前記棚板６を装着する態様（図１、図４及び図２４参照）と、二つの本立て５，５を密集させた状態で一方の側板３に密着するように装着するとともに、内方の本立て５の側面板７と対面する他方の側板３との間に前記棚板を装着する態様（図２、図２５参照）とを実現することが可能である。
【００２３】
更に、図４に示すように、前記棚板６を一方の側板３と本立て５の側面板７間若しくは両側の本立て５，５の側面板７，７間に支持した状態で、何れか一つの前記スリット孔１３の下縁より該棚板６の上面の高さが若干低くなるように設定するとともに、何れか一つの前記スリット孔１３と前記本立て５の背面に形成した横長開口１８とが前後で略一致するように設定し、どのような態様で本立て５と棚板６を装着しても常に載置板８及び棚板６の上面後方にスリット孔１３が存在し、このスリット孔１３を、コード類を配線するための挿通孔として利用できるようにしている。また、このような配置に設定することにより、正面から見たときに、前記スリット孔１３，…は露出部分では上下幅が略一致するので、意匠的な統一性が保たれ、全体の外観性の向上に寄与するのである。
【００２４】
ここで、前記本立て５は、図６、図１４〜図１６に示すように、前記両側面板７，７の後端下部間に幕板１９を連結し、該幕板１９の上縁を前記載置板８の上面より若干上方へ突出すように設定し、該幕板１９の上縁と前記背面板９の下縁との間に前述の横長開口１８を形成しているのである。そして、前記幕板１９の背面上部に金属板を断面略コ字形に折曲形成した幅広のフック１２を取付け、該フック１２を所定のスリット孔１３に前方から挿入し、該スリット孔１３の下縁に係止して本立て５を所定高さに装着するのである。ここで、前記フック１２のみでも本立て５の支持強度は十分であるが、該本立て５を持ち上げれば容易に背板４から外れるので、該本立て５を背板４に装着した状態で、その上方移動を規制するために、図４〜図６に示すように、ハット形の固定金具２０を下方のスリット孔１３の後方から挿入し、該スリット孔１３の背面上下縁に該固定金具２０の上下片を当接した状態で前記本立て５の幕板１９の背面下部に後方から着脱可能にネジ止めしている。
【００２５】
このように、第１例では、上下多段に同一ピッチで形成した前記第１支持手段１３、第２支持手段１５及び第３支持手段１６を利用して本立て５，５と棚板６とを机上棚１の両側板３，３と背板４とで形成された収容空間内にそれぞれ所望の高さに取付けるのである。それには、先ず二つの本立て５，５の左右方向における位置を決め、それからそれぞれの取付高さを決めて、対応する第１支持手段１３（スリット孔１３）に背面に設けた係止手段１２（フック１２）を係止する。この状態で本立て５は前記スリット孔１３に沿って左右方向に移動可能である。従って、前記棚板６を装着する空間を確保できるように本立て５を移動させ、それから所定高さの前記第２支持手段１５（支持孔１５，１５）及び第３支持手段１６（支持孔１６，１６）を選択して、前記支持具１４（線ダボ１４）を取付け、最後に前記棚板６を前方から挿入して両端面の係合溝１７，１７に、それぞれ対応する線ダボ１４の本体部１４Ｂを受け入れて支持するのである。本実施形態では、前記第１支持手段１３と第２支持手段１５は、上下に４段設け、第３支持手段１６は上下に３段設けている。尚、本実施形態では、最下段の第１支持手段１３は、本立て５の係止手段１２を係止することができないので、本立て５の選択できる取付高さは３通りであり、一方、棚板６の選択できる取付高さは、第３支持手段１６の数に応じて３通りであるが、本立て５の高さを変更できるので、最大第２支持手段１５の数の４通りである。ここで、本立て５を最も低い位置に装着した際に、その最下段の第３支持手段１６と、最下段の第２支持手段１５とは同じ高さになるようにしている。
【００２６】
このように、学習机２に取付けた机上棚１には、Ａ６（Ａ列６番、以下同様）（１０５ｍｍ×１４８ｍｍ）、Ｂ６（Ｂ列６番、以下同様）（１２８ｍｍ×１８２ｍｍ）、Ａ５（１４８ｍｍ×２１０ｍｍ）、Ｂ５（１８２ｍｍ×２５７ｍｍ）、Ａ４（２１０ｍｍ×２９７ｍｍ）、Ｂ４（２５７ｍｍ×３６４ｍｍ）の大きさの書籍、ノート、ファイル等の書籍類及びＣＤ、ＤＶＤのケース（１２４ｍｍ×１４２ｍｍ）、さらにはＭＤケースなどを縦向き、横向きに収容する可能性がある。その収容形態には、前記本立て５の載置板８に載置する場合、前記棚板６に載置する場合、更には学習机２の天板に直接載置する場合があり、多様な収容形態に適用できるようにすることが望ましい。このように、書籍類等の大きさを考慮して、本発明では、前記第１支持手段１３、第２支持手段１５及び第３支持手段１６を設ける上下ピッチＨを、９５〜１００ｍｍの範囲で一定値に設定している。実際には、前記ピッチＨは、９８ｍｍに設定している。
【００２７】
次に、図４〜図６に基づいて、前記机上棚１の全体構造について詳しく説明する。前記上部棚１Ｂは、両側板２１，２１の間に固定棚板２２を連結するとともに、後端間に背板２３を連結し、左右中央部で前記固定棚板２２の上面と前記背板２３とに固定仕切板２４した構造であり、前記両側板２１，２１を下部棚１Ａの両側板３，３の上端に載置し、適宜な連結手段で連結して一体化したものである。そして、前記下部棚１Ａの背板４と上部棚１Ｂの背板２３との間に開口２５を形成し、照明装置２６の支柱２７を下部棚１Ａの背板４の背面に立起状態で取付け、該支柱２７の上端から前方へ延びたアーム２８を前記開口２５から前方へ出現させ、該アーム２８の先端に灯具２９の左右中央部を支持している。
【００２８】
ここで、図５〜図１４に基づいて、本発明に係る机上棚の補強装置を説明する。前記下部棚１Ａは、両側板３，３の後端より背板４の背面位置が若干前方寄りに位置設定されており、少なくとも前記両側板３，３の後方突出部３Ａ，３Ａの内側面間に補強部材４０Ａを連結して、両側板３，３の連結強度を高めている。この補強部材４０Ａを用いて両側板３，３の連結強度を高める構造が、本発明に係る机上棚の補強装置の第１実施形態である。具体的には、前記背板４の背面下端で両側板３，３の下端間に、木質角材からなる補強部材４０Ａを渡設し、更に該補強部材４０Ａを前記背板４にもネジ止めや接着によって固定している。そして、前記補強部材４０Ａによる補強に加えて、前記背板４の背面両端部と各側板３の内面後端部間にアングル金具４１，…を固定して補強することも好ましい。
【００２９】
図７は、本発明の第２実施形態を示し、補強部材４０Ｂとして木質板材を用い、該板材を水平に配した状態で、両端部の奥行寸法を前記側板３の後方突出部３Ａの突出寸法に略一致させるとともに、中央部を後方へ湾曲させた板厚を厚くし、中央部の前側に前記照明装置２６の支柱２７の退避部として切欠部４２を形成したものを、前記両側板３，３の後方突出部３Ａ，３Ａの内側面間に連結するとともに、前記切欠部４２内に支柱２７を位置させたものである。この場合、前記支柱２７と補強部材４０Ｂとが交差しても良いので、該補強部材４０Ｂを任意の高さに設けることができる。
【００３０】
図８は、本発明の第３実施形態を示し、補強部材４０Ｃとして金属パイプを用い、該金属パイプの中央部を潰して偏平にして前側に前記支柱２７の退避部として凹部４３を形成し、両端を前記両側板３，３の後方突出部３Ａ，３Ａの内側面間に連結したものである。ここで、前記側板３に対する連結構造の一例として、前記補強部材４０Ｃの端部にナット部材を溶接し、前記側板３の後方突出部３Ａに貫通させたネジを螺合させるのである。また、前記補強部材４０Ｃは、前記背板４の背面に密着させて該背板４とネジで連結することがより好ましい。
【００３１】
図９は、本発明の第４実施形態を示し、補強部材４０Ｄとして金属パイプを用い、該金属パイプの中央部を潰して偏平にして後側に前記支柱２７の退避部として凹部４４を形成し、両端を前記両側板３，３の後方突出部３Ａ，３Ａの内側面間に連結したものである。その他は、第３実施形態と同様である。
【００３２】
図１０及び図１１は、本発明の第５実施形態を示し、前記背板４の下端又は上端、若しくは上下端に板状の補強部材４０Ｅ，４０Ｅを接合状態で両側板３，３の後方突出部３Ａ，３Ａの内側面間に連結したものである。本実施形態では、前記背板４の上端も直線状となし、上下端に補強部材４０Ｅ，４０Ｅを面接合状態で固定するとともに、各補強部材４０Ｅの両端を両側板３，３に連結するのである。この場合、前記背板４の上端に取付ける補強部材４０Ｅの中央部の後部には、前記支柱２７の退避部として切欠部４５を形成している。ここで、前記補強部材４０Ｅの前端と前記背板４の前面は面一に設定し、補強部材４０Ｅの前端にも背板４と同様な化粧面を形成し、目立たなくすることが望ましい。
【００３３】
図１２及び図１３は、本発明の第６実施形態を示し、上下分離した複数の背板部材４６，…からなる背板４の少なくとも一つの背板部材の板厚を厚くして補強背板部材４０Ｆとし、該補強背板部材４０Ｆを両側板３，３の後方突出部３Ａ，３Ａの内側面間に連結したものである。ここで、前記背板部材４６，４６の間には、前記本立て５を係止するためのスリット孔１３を形成している。本実施形態では、上下分離した複数の背板部材４６，…からなる背板４の例を示したが、前記背板４の背面側の一部に横方向に延びた板厚が厚い補強部分を形成したものでも同様である。尚、前記補強背板部材４０Ｆ又は板厚が厚い補強部分に前記支柱２７の退避部として切欠部４７を前記同様に形成する。
【００３４】
更に第１例の机上棚を詳しく説明すると、前記上部棚１Ｂの背板２３は、上背板２３Ａと下背板２３Ｂとに分離されており、下背板２３Ｂの上縁は固定棚板２２の上面より若干上方に位置し、前記上背板２３Ａであって、前記固定仕切板２４の両側には、前記スリット孔１３と同一上下幅を有するスリット孔３０，３０を形成するとともに、上背板２３Ａと下背板２３Ｂとの間には横長開口３１を設けている。そして、前記上部棚１Ｂにあっては、側板２１と固定棚板２２との間に、前記線ダボを利用して小棚板３２を高さ調節可能に取付けている。この場合も、前記小棚板３２の上面の若干上方に前記スリット孔３０が位置し、図２に示すように、該小棚板３２に載置したプリンターＰの配線コードを、該スリット孔３０を通して配線できるようにしている。ここで、前記棚板６と小棚板３２は同一であっても良く、下部棚１Ａから外した棚板６を上部棚１Ｂに取付けるようにしても良い。また、前記棚板６を下部棚１Ａの最上位に取付けた場合には、その下方に１５インチ液晶モニターＭを置けるようにしている（図２参照）。
【００３５】
そして、第１例では、前記本立て５に仕切板１１を左右方向任意の位置に着脱可能に取付けることができるようになっているが、前記仕切板１１と同一形状の仕切板３３を前記下部棚１Ａの上下のスリット孔１３，１３を用いて背板４に取付けることができるとともに、上部棚１Ｂのスリット孔３０と横長開口３１とを利用して取付けることもできるようにしている。これには、図１７及び図１８に示したような共通の係着具３４を用いる。前記係着具３４は、合成樹脂成形品であり、前記仕切板１１又は仕切板３３の後端面に取付ける取付部３５と、該取付部３５の上部に係止部３６を形成するとともに、下部に当止部３７を形成したものである。前記係着具３４の係止部３６には、前記本立て５の背面板９の上縁又は前記下部棚１Ａの背板４に形成したスリット孔１３の下縁に上方から係止可能な下向きフック３６Ａを形成するとともに、該下向きフック３６Ａの上方に前記上部棚１Ｂのスリット孔３０の上縁に下方から係止可能な上向きフック３６Ｂを形成している。そして、前記係着具３４の当止部３７には、上面に前記本立て５の背面板９の下縁、前記背板４の下方のスリット孔１３の上縁及び上部棚１Ｂの横長開口３１の上縁に下方から当接する当接面３７Ａを形成するとともに、下面には横方向に延びた浅い係合部３７Ｂを形成している。
【００３６】
そして、前記仕切板１１を本立て５の背面板９に取付けるには、該仕切板１１の後端に係着具３４をネジ止めした状態で、該仕切板１１を若干後方へ倒した状態で、前方側から係着具３４の係止部３６に設けた下向きフック３６Ａを、前記背面板９の上縁に係止した後、仕切板１１の下部を後方へ押し込むことにより、前記当止部３７を前記背面板９の下方に位置させ、その当接面３７Ａを背面板９の下縁に当止することで当該仕切板１１を外れ止めするのである（図６、図１８（ｂ）参照）。この状態で、前記仕切板１１の下縁は前記載置板８の上面に載置されている。次に、図４に示すように、３段目の高さに装着した棚板６の下方の空間に、前記仕切板３３を背板４に取付けるには、前記同様に仕切板３３を若干後方へ倒した状態で、前方側から係着具３４の下向きフック３６Ａを、２段目のスリット孔１３に挿入し、その下縁に係止した後、仕切板３３の下部を後方へ押し込むことにより、前記当止部３７を１段目のスリット孔１３内に挿入し、該スリット孔１３の上縁と対面するように当接面３７Ａを配して取付けるのである。この際に、前記当接面３７Ａに弾性体を添設しておけば、その弾性体を常時背面板９の下縁やスリット孔１３の上縁に圧接することで、ガタツキなく仕切板１１、３３を支持することができる。一方、上部棚１Ｂに仕切板３３を取付けるには、仕切板３３を傾斜させた状態で、係着具３４の係止部３６に設けた上向きフック３６Ｂを背板２３に設けたスリット孔３０の上縁に係止させながら、該仕切板３３を立起状態にして前記当止部３７を横長開口３１内に挿入させ、その当接面３７Ａを横長開口３１の上縁の下方に位置させるとともに、当該仕切板３３の下縁を固定棚板２２の上面に載置して支持する。
【００３７】
次に、図１９〜図２３に基づいて第２例の机上棚を説明する。第２例の机上棚は、前記第１支持手段１３を構成する二つのスリット孔１３，１３を、下部棚１Ａの背板４の左右に対称に形成するとともに、両側板３，３の間隔の約半分の横幅を有する幅の広い一つの本立て５と、同様な横幅の棚板６とを左右に配設した構造のものである。また、上部棚１Ｂは、前記スリット孔３０を設けずに、上背板２３Ａの上縁を直線状とし、該上背板２３Ａの上下幅を本立て５の背面板９の上下幅に一致させたものである。従って、仕切板３３を取付ける係着具３８には、上向きフック３６Ｂは不要であるので、係止部３６に下向きフック３６Ａのみを形成した単純形状のものである。尚、図１９及び図２０には、前記同様なハット形の固定金具２０を用いて取付けた例を示したが、図２２及び図２３には、固定金具２０の代わりに前記フック１２の下方に、下段のスリット孔１３に係止する下向きフック３９，３９を両側部に設けた例を示した。ここで、第２例の机上棚における前記フック１２の横幅は、前記スリット孔１３の横幅より若干狭く、しかもフック１２をスリット孔１３に係止した状態で、本立て５の側方に棚板６が存在しない場合でも、横方向に大きく移動しないように設定されている。尚、前記フック１２は左右に分割されたものでも良いが、全体としてフック１２の両端外寸法がスリット孔１３の横幅に略一致されていれば良い。その他の構造は、前記同様であるので、同一構成には同一符号を付して、その説明は省略する。この第２例の机上棚では、下部棚１Ａと、本立て５、棚板６、二枚の仕切板３３，３３だけで合計２３通りの配置が可能である。
【００３８】
最後に、第１例の図２４及び図２５に基づいて、各種の大きさの書籍類を収容するための配置例を簡単に説明する。この第１例の机上棚では、下部棚１Ａと、二つの本立て５，５、棚板６、二枚の仕切板３３，３３だけで合計１３３通りの配置が可能である。図２４は、下部棚１Ａにあっては、両側に本立て５，５を配し、その中間に棚板６を配した態様であり、本立て５，５は両方とも同じ高さで下から２段目に設定し、その下方にＣＤケースを縦向きで収容できるようにし、また棚板６は下から３段目に取付け、その下方にＢ６の書籍類を縦向きに収容できるとともに、該棚板６の上方にＡ４の書籍類を収容できるとうにしている。尚、本立て５の載置板８と棚板６の高さは同一であるので、本立て５にもＡ４の書籍類を収容できる。また、上部棚１Ｂにあっては、小棚板３２を上段に取付け、その下方の固定棚板２２上にＣＤケースを収容できるとにしている。
【００３９】
また、図２５は、二つの本立て５，５を右側に寄せて配し、左側に側板３と本立て５の側面板７との間に棚板６を配した態様であり、右側の本立て５は下から２段目に装着し、左側の本立て５は下から３段目に装着し、そして棚板６は最上段（４段目）に装着した例である。この場合、右側の本立て５の下方にはＣＤケースを収容可能とし、その載置板８の上方にはＡ４の書籍類を収容可能としている。また、左側の本立て５の下方にはＡ５の書籍類を収容可能とし、その載置板８の上方にはＡ５の書籍類を収容可能としている。また、棚板６の下方には１５インチ液晶モニターＭを置くことができ、その上方にはＡ６又はＢ６の書請類を収容可能としている。
【図面の簡単な説明】
【００４０】
【図１】本実施形態に係る学習机の机上棚の使用状態の全体斜視図である。
【図２】同じく机上棚のみの全体斜視図である。
【図３】収納体の取付構造を示す部分分解斜視図である。
【図４】第１例の机上棚の正面図である。
【図５】本発明の第１実施形態を示す机上棚の背面図である。
【図６】同じく机上棚の縦断面図である。
【図７】本発明の第２実施形態を示す平面図である。
【図８】本発明の第３実施形態を示す平面図である。
【図９】本発明の第４実施形態を示す平面図である。
【図１０】本発明の第５実施形態を示す部分縦断面図である。
【図１１】同じく背板の上下端に補強部材を取付けた状態の斜視図である。
【図１２】本発明の第６実施形態を示す部分縦断面図である。
【図１３】同じく部分背面図である。
【図１４】幅の狭い本立ての斜視図である。
【図１５】同じく本立ての正面図である。
【図１６】同じく本立ての立て断面図である。
【図１７】仕切板を取付けるための係着具の斜視図である。
【図１８】同じく係着具を示し、（ａ）は正面図、（ｂ）は断面図を示している。
【図１９】第２例の机上棚の正面図である。
【図２０】同じく机上棚の縦断面図である。
【図２１】幅の広い本立ての斜視図である。
【図２２】同じく本立ての正面図である。
【図２３】同じく縦断面図である。
【図２４】第１例の机上棚の本立てと棚板の配置例を示す正面図である。
【図２５】同じく他の配置例を示す正面図である。
【符号の説明】
【００４１】
１  机上棚                    １Ａ  下部棚
１Ｂ  上部棚                  ２  学習机
３  側板                      ４  背板
５  本立て                    ６  棚板
７  側面板                    ８  載置板
９  背面板                    １１  仕切板
１２  係止手段（フック）      １３  第１支持手段（スリット孔）
１３、１３Ａ、       １３Ｂ  スリット孔
１４  支持具（線ダボ）        １４Ａ  支軸
１４Ｂ  本体部                １５  第２支持手段（支持孔）
１６  第３支持手段（支持孔）  １７  係合溝
１８  横長開口                １９  幕板
２０  固定金具                ２１  側板
２２  固定棚板                ２３  背板
２３Ａ  上背板                ２３Ｂ  下背板
２４  固定仕切板              ２５  開口
２６  照明装置                ２７  支柱
２８  アーム                  ２９  灯具
３０  スリット孔              ３１  横長開口
３２  小棚板                  ３３  仕切板
３４  係着具                  ３５  取付部
３６  係止部                  ３６Ａ  下向きフック
３６Ｂ  上向きフック          ３７  当止部
３７Ａ  当接面                ３７Ｂ  係合部
３８  係着具                  ３９  下向きフック
４０Ａ〜４０Ｅ  補強部材      ４０Ｆ  補強背板部材（補強部材）
４１  アングル金具            ４２  切欠部
４３  凹部                    ４４  凹部
４５  切欠部                  ４６  背板部材
４７  切欠部
Ｐ  プリンター                Ｍ  １５インチ液晶モニター
【図１】
2007000604.tif 000003
【図２】
2007000604.tif 000004
【図３】
2007000604.tif 000005
【図４】
2007000604.tif 000006
【図５】
2007000604.tif 000007
【図６】
2007000604.tif 000008
【図７】
2007000604.tif 000009
【図８】
2007000604.tif 000010
【図９】
2007000604.tif 000011
【図１０】
2007000604.tif 000012
【図１１】
2007000604.tif 000013
【図１２】
2007000604.tif 000014
【図１３】
2007000604.tif 000015
【図１４】
2007000604.tif 000016
【図１５】
2007000604.tif 000017
【図１６】
2007000604.tif 000018
【図１７】
2007000604.tif 000019
【図１８】
2007000604.tif 000020
【図１９】
2007000604.tif 000021
【図２０】
2007000604.tif 000022
【図２１】
2007000604.tif 000023
【図２２】
2007000604.tif 000024
【図２３】
2007000604.tif 000025
【図２４】
2007000604.tif 000026
【図２５】
2007000604.tif 000027